Podtech/llm-jp-corpus-v4-ja_patent huggingface dataset:
(57)【要約】【課題】締め付けたナットの振動による緩みを防止するものである。【解決手段】下ナット（４）のオス部分に数ヶ所縦に切り口（３）を入れる上ナット（４）のメス部分）、傾斜に角度をつけ奥側の直径を、下ナット（４）のオス部分の直径より、少し狭くして上ナト（２）を締め付ける。【選択図】図２
2004286226.tif 000002
【特許請求の範囲】
【請求項１】
下ナット（４）のオス部分に数ヶ所縦に切り口（３）を入れる、上ナット（２）のメス部分を傾斜に角度をつけ奥側の直径を、下ナット（４）のオス部分の直径より少し狭くして締め付ける、２つのオスネジ絞りナット。
【発明の詳細な説明】
【発明の技術分野】
【０００１】この発明は締め付けたナットの、振動による緩みの防止に簡するものである。
【背景技術】
【０００２】この発明は全く新規な構成であり、数ある従来の技術と比較するのは不適当である。
【発明が解決しようとする課題】
【０００３】振動する機械等に締め付けたナットの緩みを防止するためのものである。
【課題を解決するための手段】
【０００４】２つのナットを各オスメス状にして、下ナット（４）の上部５割程度をオスネジ（１）の直径より２割程度太くオス状にして、数ヶ所縦に切り口（３）を入れる上ナット（２）のメス部分を傾斜に角度をつけ奥側の直径を、下ナット（４）のオス部分の直径より少し狭くする。
【実施の形態】
【０００５】先ずオスネジ（１）に下ナット（４）を締め付ける、続いて上ナット（２）を締め付ける下ナット（４）の切り口（３）の作用により、オスネジ（１）を、周囲より圧迫して絞りオスネジ（１）と一体になり振動によるナットの緩みを防止するものである。
【発明の効果】
【０００６】締め付ける力に等しい力を加えなければ緩まない。
【図面の簡単な説明】
【図１】本発明の締め付け前の斜視図である
【図２】本発明の締め付け前の断面図である
【符号の説明】
（１）  オスネジ
（２）  上ナット
（３）  切り口
（４）  下ナット
【図１】
2004286226.tif 000003
【図２】
2004286226.tif 000004
【手続補正書】
【提出日】平成16年6月8日(2004.6.8)
【手続補正１】
【補正対象書類名】図面
【補正対象項目名】全図
【補正方法】変更
【補正の内容】
【図１】
2004286226.tif 000005
【図２】
2004286226.tif 000006
(57)【要約】【目的】油分含有空気から熱回収して能力維持が容易にできるヒートポンプ式空調機を得る。【構成】外気を蒸発器１で熱交換して室内に給気すると共に室内の油分含有空気を凝縮器３で熱回収しながら屋外に排気するヒートポンプ式空調機であって、ケーシング１内に、給気送風路Ａと、排気送風路Ｂと、蒸発器２と凝縮器３と圧縮機４を含む冷媒循環回路Ｃと、を備える。給気送風路Ａに、凝縮器３を除いた冷媒循環回路Ｃの部品を設ける。排気送風路Ｂに凝縮器３を設けて、排気送風路Ｂを凝縮器洗浄スペースに兼用する。【選択図】        図２
2004286300.tif 000002
【特許請求の範囲】
【請求項１】
外気を蒸発器２で熱交換して室内に給気すると共にこの室内の油分含有空気を凝縮器３で熱回収しながら屋外に排気するヒートポンプ式空調機であって、ケーシング１内に、給気送風路Ａと、排気送風路Ｂと、前記蒸発器２と前記凝縮器３と圧縮機４を含む冷媒循環回路Ｃと、を備え、前記給気送風路Ａに、前記凝縮器３を除いた前記冷媒循環回路Ｃの部品を設け、前記排気送風路Ｂに前記凝縮器３を設けて、この排気送風路Ｂを凝縮器洗浄スペースに兼用したことを特徴とするヒートポンプ式空調機。
【請求項２】
蒸発器２と凝縮器３の各々のフィンチューブを楕円管にした請求項１記載のヒートポンプ式空調機。
【発明の詳細な説明】
【０００１】
【発明の属する技術分野】
本発明はヒートポンプ式空調機に関する。
【従来の技術】
【０００２】
【特許文献１】実開平５−５４９３５号公報
厨房などの汚染空気を屋外に排気しながら熱回収する装置として上記公報のものが公知であり、この装置は室内機と室外機を別個に備え、両者の熱交換器をヒートポンプ式の冷媒回路で連結したもので、前記室外機を室内から屋外への排気ダクトの途中に設け、排熱回収するものである。
【０００３】
【発明が解決しようとする課題】
しかし、厨房などの空気には油分が含まれており、この空気が室外機を通過すると、その内部の熱交換器に油分が付着するため能力が低下する問題がある。そこで、能力維持のために熱交換器の洗浄が容易に行えるヒートポンプ式空調機を提供することを目的とする。
【０００４】
【課題を解決するための手段】
上記目的を達成するために、本発明のヒートポンプ式空調機は、外気を蒸発器で熱交換して室内に給気すると共にこの室内の油分含有空気を凝縮器で熱回収しながら屋外に排気するヒートポンプ式空調機であって、ケーシング内に、給気送風路と、排気送風路と、前記蒸発器と前記凝縮器と圧縮機を含む冷媒循環回路と、を備え、前記給気送風路に、前記凝縮器を除いた前記冷媒循環回路の部品を設け、前記排気送風路に前記凝縮器を設けて、この排気送風路を凝縮器洗浄スペースに兼用したものである。さらに、給気送風路の下に排気送風路を設けた。さらに、蒸発器と凝縮器の各々のフィンチューブを楕円管にした。
【０００５】
【発明の実施の形態】
図１と図２は、本発明のヒートポンプ式空調機の一実施例を示している。この空調機は、外気を蒸発器２で熱交換して室内に給気すると共にこの室内の油分含有空気を凝縮器３で熱回収しながら屋外に排気するものであって、ケーシング１内に、給気送風路Ａと、排気送風路Ｂと、蒸発器２と凝縮器３と圧縮機４を含む冷媒循環回路Ｃと、を備え、給気送風路Ａに、凝縮器３を除いた冷媒循環回路Ｃの部品やその他電装品などの各種機器を設け、排気送風路Ｂに凝縮器３を設けて、この排気送風路Ｂを凝縮器洗浄スペースに兼用する。
【０００６】
ケーシング１には、外気取入口５と給気口６と還気取入口７と排気口８を形成し、外気取入口５と給気口６を給気送風路Ａにて連通連結し、還気取入口７と排気口８を排気送風路Ｂにて連通連結する。還気取入口７はダクトや吸込口等を介して厨房などの室内と連通連結し、給気口６はダクトや吹出口等を介して室内と連通連結する。なお、実線及び点線の白抜き矢印で送風方向を示す。
【０００７】
給気送風路Ａと排気送風路Ｂは、仕切板などで区画形成し、水平状として略平行に隣接させる。給気送風路Ａの下に排気送風路Ｂを設け、万一下に洗浄時の水分漏出があっても他部品が障害を受けないようにする。給気送風路Ａには給気用送風機９を設け、排気送風路Ｂにはフィルタ１１と排気用送風機１０とドレンパン１２を設ける。排気送風路Ｂの送風機１０は凝縮器３の風下に配置し、厨房などからの空気（還気）に含まれる油分付着を少なくする。ケーシング１には、メンテナンス用の着脱又は開閉自在な外装板を設け、外部から排気送風路Ｂ内の凝縮器３や送風機１０の洗浄ができるように構成する。
【０００８】
冷媒循環回路Ｃは、蒸発器２、凝縮器３、圧縮機４、図示省略の受液器、膨張弁及び冷媒循環方向の正逆の切換弁等を配管接続して成り、蒸発器２及び凝縮器３の吸熱と放熱を切換自在に構成する。蒸発器２と凝縮器３の各々のフィンチューブは楕円管にするのが好ましいが円形管でもよい。
【０００９】
この空調機では、外気取入口５から取入れた外気を蒸発器２で熱交換し、給気口６から給気し、同時に還気取入口７から取入れた還気（室内からの排気）で凝縮器３の循環冷媒を熱交換して吸熱又は放熱（熱回収）しつつ排気口８から屋外へ排気する。凝縮器３への油分付着が多くなれば蒸気などで洗浄し、能力を維持する。洗浄液はドレンパン１２で機外に排出する。なお、本空調機を外気処理空調機として用いるも自由である。
【００１０】
【発明の効果】
請求項１の発明では、換気中に油分含有空気から熱回収し、凝縮器３の洗浄により能力低下を防止できる。排気送風路Ｂを凝縮器洗浄スペースに兼用しているので、凝縮器３をケーシング１から取り外さずに洗浄でき、しかも、凝縮器３のみを洗浄するだけでよいので洗浄作業が簡単で、保守作業が容易となり作業時間を削減し得る。凝縮器３以外の冷媒循環回路Ｃの部品は給気送風路Ａに設けてあるので、誤って洗浄してしまうことがなく、信頼性を保証できる。また同一ケーシング内に冷媒循環回路Ｃが設けられているので配管作業がいらず設置が簡単である。
請求項２の発明では、圧力損失が減少して熱交換効率が向上するので小型の送風機を用いることができ騒音低減を図れる。蒸発器２と凝縮器３も小型化でき空調機をコンパクト化できる。
【図面の簡単な説明】
【図１】本発明の一実施例を示す全体構成図である。
【図２】空調機の断面図である。
【符号の説明】
１    ケーシング
２    蒸発器
３    凝縮器
４    圧縮機
Ａ    給気送風路
Ｂ    排気送風路
Ｃ    冷媒循環回路
【図１】
2004286300.tif 000003
【図２】
2004286300.tif 000004
(57)【要約】【課題】熱媒体側の圧力がプロセス側の圧力より低い熱交換器を含むシステムであって、プロセス流体の熱媒体側への漏れを検出することができ、よって安全かつ安定に熱交換操作を実施することができるという優れた特徴を有する熱交換システムを提供する。【解決手段】熱媒体側の圧力がプロセス側の圧力より低い熱交換器を含むシステムであって、熱媒体側の熱交換器の下流に熱媒体中のプロセス流体を検出する手段を有する熱交換システム。好ましい具体例として、プロセス流体を検出する手段がガス検知器である場合、プロセス流体を検出する手段がガスクロマトグラフである場合等をあげることができる。【選択図】      図１
2004286236.tif 000002
【特許請求の範囲】
【請求項１】
熱媒体側の圧力がプロセス側の圧力より低い熱交換器を含むシステムであって、熱媒体側の熱交換器の下流に熱媒体中のプロセス流体を検出する手段を有する熱交換システム。
【請求項２】
プロセス流体を検出する手段がガス検知器である請求項１記載のシステム。
【請求項３】
プロセス流体を検出する手段がガスクロマトグラフである請求項１記載のシステム。
【発明の詳細な説明】
【０００１】
【発明の属する技術分野】
本発明は、熱交換システムに関するものである。更に詳しくは、本発明は、熱媒体側の圧力がプロセス側の圧力より低い熱交換器を含むシステムであって、プロセス流体の熱媒体側への漏れを検出することができ、よって安全かつ安定に熱交換操作を実施することができるという優れた特徴を有する熱交換システムに関するものである。
【０００２】
【従来の技術】
熱交換システムは化学プラント等において広く用いられている。熱交換はプロセス流体と熱媒体を熱交換器の境界壁を隔てて間接的に接触させることにより行われる。ところが、該境界壁にピンホール等が発生した場合、その発見が遅れ、安全で安定な運転を妨げるという問題があった。
【０００３】
熱交換器の境界壁を通しての流体の漏れの発見装置としては、特許文献１に漏洩検出装置が開示されている。しかしながら、この装置は、漏れ流体が電解質溶液以外の場合には適用できないという点で不満足なものであった。
【０００４】
【特許文献１】
特開平１０−１９７３８４号公報
【０００５】
【発明が解決しようとする課題】
かかる状況において、本発明が解決しようとする課題は、熱媒体側の圧力がプロセス側の圧力より低い熱交換器を含むシステムであって、プロセス流体の熱媒体側への漏れを検出することができ、よって安全かつ安定に熱交換操作を実施することができるという優れた特徴を有する熱交換システムを提供する点にある。
【０００６】
【課題を解決するための手段】
すなわち、本発明は、熱媒体側の圧力がプロセス側の圧力より低い熱交換器を含むシステムであって、熱媒体側の熱交換器の下流に熱媒体中のプロセス流体を検出する手段を有する熱交換システムに係るものである。
【０００７】
【発明の実施の形態】
本発明における熱交換器のタイプとしては、多管式熱交換器やプレート式熱交換器等をあげることができる。
【０００８】
熱媒体としては、水、水蒸気、炭化水素等をあげることができる。
【０００９】
プロセスの流体としては、水素、二酸化炭素、炭化水素等をあげることができる。
【００１０】
本発明のシステムは、熱媒体側の圧力がプロセス側の圧力より低いものである。圧力差は５０〜３５００ｋＰａ程度である。
【００１１】
本発明の最大の特徴は、熱媒体側の熱交換器の下流に熱媒体中のプロセス流体を検出する手段を有する点にある。プロセス流体を検出する手段としては、ガス検知器、ガスクロマトグラフ等をあげることができる。検出手段がプロセス流体を検知した場合、その信号を自動的に運転者に知らせる手段を用いることが好ましい。また、場合によっては、該信号によりバルブの閉止などの所定の作動を自動的に行わせるシステムとすることもできる。
【００１２】
【実施例】
次に本発明を実施例により説明する。
実施例１
熱媒体を水、プロセス流体をプロピレンとし、熱媒体側の水の圧力がプロセス側のプロピレンの圧力よりも１２００ｋＰａ程度低い多管式熱交換器を含むシステムであって、熱媒体側の熱交換器の下流に熱媒体中のプロセス流体を検出する手段としてガス検知器を有する熱交換システムを用いた。該システムにおいて熱交換器境界壁にピンホールが発生し、圧力差により水側に漏れたプロピレンが、熱媒体側の熱交換器の下流に設置したガス検知器で検知され、警報を発した。該システムにより漏れが早期に発見され、被害が拡大する前に対応を取ることができた。
【００１３】
実施例２
熱媒体（冷媒）をプロピレン、プロセス流体をプロピレン以外の成分を含む炭化水素とし、熱媒体側のプロピレンの圧力がプロセス側の炭化水素の圧力よりも１７００ｋＰａ程度低いプレートフィン式熱交換器を含むシステムであって、熱媒体側の熱交換器の下流に熱媒体中のプロセス流体を検出する手段としてガスクロマトグラフを有する熱交換システムを用いる。熱媒体のプロピレンは冷凍機により供給される。該システムにおいて熱交換器境界壁にピンホールが発生した場合に、圧力差によりプロピレン側に漏れた炭化水素が、熱媒体側の熱交換器の下流に設置したガスクロマトグラフで検出され、熱交換器からの漏れを検知することができる。該システムにより漏れが早期に発見され、被害が拡大する前に対応を取ることができる。
【００１４】
【発明の効果】
以上説明したとおり、本発明により、熱媒体側の圧力がプロセス側の圧力より低い熱交換器を含むシステムであって、プロセス流体の熱媒体側への漏れを検出することができ、よって安全かつ安定に熱交換操作を実施することができるという優れた特徴を有する熱交換システムを提供することができた。
【図面の簡単な説明】
【図１】実施例１のシステムの概略図である。
【図２】実施例２のシステムの概略図である。
【符号の説明】
１  熱交換器
２  熱媒体
３  プロセス流体
４  ガス検知器
５  冷凍機
６  ガスクロマトグラフ
【図１】
2004286236.tif 000003
【図２】
2004286236.tif 000004
(57)【要約】【課題】高温蒸気を利用して殺菌・消毒する場合において、高温蒸気発生のためのヒータ部の構造を改良して、ヒータからの発熱を無駄なく利用して、熱の高効率化を計るとともに、省スペース化、省電力化を可能とする。【解決手段】一方の端部から水が供給される内管１１と、該内管１１の上に巻回されたヒータ線２と、該ヒータ線２の上に巻回された外管１２とからなり、内管１１の他端と外管１２の一端が連通され、該外管１２の他端から蒸気が放出されるようになっている。ヒータ線２は内管１１と外管１２に挟まれており、単一のヒータ線２により、水の加熱と蒸気の加熱を効果的に行うことができる。【選択図】        図１
2004286265.tif 000002
【特許請求の範囲】
【請求項１】
一方の端部から水が供給される内管と、該内管の上に巻回されたヒータ線と、該ヒータ線の上に巻回された外管とからなり、前記内管の他端と前記外管の一端が連通され、該外管の他端から蒸気が放出されるようにしたことを特徴とする蒸気発生装置。
【発明の詳細な説明】
【０００１】
【発明の属する技術分野】
本発明は、蒸気発生装置、より詳細には、ヒータからの発熱を無駄なく利用できるようにして高効率化を図るとともに、省スペース化、省電力化を可能とした蒸気発生用ヒータに関する。
【０００２】
【従来の技術】
高温の蒸気を利用した簡易殺菌・消毒装置に於いては、蒸気発生のためのヒータとして、従来、例えば、図２に示すような構造のヒータを用いていた。
図２は、従来の蒸気発生用ヒータの一例を説明するための概略構成図で、図中、Ｉ、ＩＩは過熱部で、これら過熱部Ｉ及びＩＩは、図示のように、縦続接続されており、過熱部Ｉは、入口よりパイプ１１に供給された水をヒータ２１によって略１００℃まで加熱して蒸気を発生する。過熱部Ｉで発生された蒸気は、過熱部ＩＩのパイプ１２に供給され、ヒータ２２によって１００℃〜２００℃に加熱され、出口より高温蒸気として排出され、殺菌、消毒等に使用される。
【０００３】
【発明が解決しようとする課題】
上記従来の蒸気発生用ヒータは、過熱部ＩとＩＩが縦続接続されているため、全体的に大きなスペースを必要とし、また、ヒータが外側に設けられているため、ヒータから大気中に放散される熱が多く、ヒータからの熱の利用効率が悪く、消費電力が多く、不経済であった。
【０００４】
本発明は、上述のごとき実情に鑑みてなされたもので、高温の蒸気を利用した簡易殺菌・消毒装置に於いて、蒸気発生のためのヒータ部の構造を改良して、ヒータからの発熱を無駄なく利用して熱の高効率化を計るとともに、省スペース化、省電力化を可能とすることを目的としてなされたものである。
【０００５】
【課題を解決するための手段】
本発明は、一方の端部から水が供給される内管と、該内管の上に巻回されたヒータ線と、該ヒータ線の上に巻回された外管とからなり、前記内管の他端と前記外管の一端が連通され、該外管の他端から蒸気が放出されるようにしたことを特徴としたものである。
【０００６】
【発明の実施の形態】
図１は、本発明による蒸気発生装置の一実施例を説明するための要部構成図で、図１（Ａ）は外観図、図１（Ｂ）は図１（Ａ）のＢ−Ｂ線断面図で、図中、１１は水加熱パイプ、１２は蒸気過熱パイプ、２はヒータで、本発明においては、直管状の水加熱パイプ１１の上にヒータ線２が巻回され、このヒータ巻線２の上に蒸気加熱パイプ１２が巻回されている。換言すれば、ヒータ巻線２は、直管状の水加熱パイプ１１と巻線状の蒸気加熱パイプ１２との間にサンドイッチ状に挟まれており、単一のヒータ２により水の加熱と蒸気の加熱を行うことができる。
【０００７】
水加熱パイプ１１の出口端と蒸気過熱パイプ１２の入口端とは連通しており、水加熱パイプ１１に供給された水は、該水加熱パイプ１１で加熱されて略１００℃の蒸気になり、次いで、蒸気加熱パイプ１２に供給され、ここで、１００〜２００℃蒸気に加熱されて放出され、殺菌、消毒等に利用される。
【０００８】
【発明の効果】
上述のように、本発明の蒸気発生用ヒータによると、ヒータ２を挟んで、その内側に水加熱パイプ、外側に蒸気加熱パイプを設けたので、単一のヒータで２通りの加熱が可能となり、ヒータの発熱量を無駄なく利用でき、消費電力を節約できる。また、取付けスペースを小さくすることができ、本蒸気発生用ヒータを用いることによって、減菌装置、消毒装置等を小型化することができる。
【図面の簡単な説明】
【図１】本発明による蒸気発生装置の一実施例を説明するための要部構成図である。
【図２】従来の蒸気発生装置の一例を説明するための要部構成図である。
【符号の説明】
１１…水加熱パイプ、１２…蒸気加熱パイプ、２，２１，２２…ヒータ巻線。
【図１】
2004286265.tif 000003
【図２】
2004286265.tif 000004